(57)【要約】      （修正有）【課題】開封からコンタクトレンズを眼に装着するまでの一連の動作をスムーズに行うことができるコンタクトレンズ用ブリスターケースを提供する。【解決手段】ブリスターケース１０はコンタクトレンズＣＬ及び保存液Ｓを収納するとともに指掛け可能なレンズ収納部１４を有する容器本体１１を備える。ブリスターケース１０は容器本体１１に対して剥離可能に接着されて、レンズ収納部１４の開口部１４ａを密閉して覆うシート２０と、容器本体１１に対してスライド自在に配置されるとともにスライド時にシート２０に作用して同シート２０を容器本体１１から剥離させてレンズ収納部１４を開口する蓋板３０を備える。蓋板３０がレンズ収納部１４に指掛けした片手の押圧操作によりスライド可能に形成されている。【選択図】図４
2009062080.tif 000002
【特許請求の範囲】
【請求項１】
コンタクトレンズ及び保存液を収納するとともに指掛け可能に形成されたレンズ収納部を有する容器本体と、
前記容器本体に対して剥離可能に接着されて、前記レンズ収納部の開口部を密閉して覆うシートと、
前記容器本体に対してスライド自在に配置されるとともにスライド時に前記シートに作用して同シートを前記容器本体から剥離させて同レンズ収納部を開口するスライド部材とを備え、
前記スライド部材が、前記レンズ収納部に指掛けした片手の押圧操作によりスライド可能であることを特徴とするコンタクトレンズ用ブリスターケース。
【請求項２】
コンタクトレンズ及び保存液を収納するレンズ収納部と、
前記レンズ収納部に隣接して配置された指掛け部を有する容器本体と、
前記容器本体に対して剥離可能に接着されて、前記レンズ収納部の開口部を密閉して覆うシートと、
前記容器本体に対してスライド自在に配置されるとともにスライド時に前記シートに作用して同シートを前記容器本体から剥離させて同レンズ収納部を開口するスライド部材とを備え、
前記スライド部材が、前記指掛け部に指掛けした片手の押圧操作によりスライド可能であることを特徴とするコンタクトレンズ用ブリスターケース。
【請求項３】
前記スライド部材が、前記シート上に配置された蓋板であり、同蓋板が前記シートと連結されていることを特徴とする請求項１又は請求項２に記載のコンタクトレンズ用ブリスターケース。
【請求項４】
前記スライド部材が、前記容器本体上に配置されたスクレーパであり、同スクレーパがスライド時に前記シートと前記容器本体との間に介在して前記シートを剥離することを特徴とする請求項１又は請求項２に記載のコンタクトレンズ用ブリスターケース。
【請求項５】
前記容器本体には前記スライド部材のスライドをガイドするガイド部が設けられていることを特徴とする請求項１又は請求項２に記載のコンタクトレンズ用ブリスターケース。
【請求項６】
前記容器本体のレンズ収納部の開口に隣接する部位には、保存液のこぼれ防止用凹部が設けられていることを特徴とする請求項１乃至請求項５のうちいずれか１項に記載のコンタクトレンズ用ブリスターケース。
【発明の詳細な説明】
【技術分野】
【０００１】
この発明は、使い捨てコンタクトレンズを包装するために用いられるコンタクトレンズ用ブリスターケースに関するものである。
【背景技術】
【０００２】
従来から、親水性コンタクトレンズをブリスターケースの形態で包装する技術が開発されている。この技術により、簡単で、コストを要することなく適当な方法で親水性コンタクトレンズを保管し、出荷することが可能となり、一方、医師や患者がコンタクトレンズを便利に簡単に取り出すことが容易になった。
【０００３】
なお、従来技術を調査した結果、特許文献１のブリスターパックがある。このブリスターパックでは、ブリスターケースの商品収納凹部の開口をシート材で覆い、シート材に重ね合わせた台紙をブリスターケースの長手方向にスライドさせることにより、台紙に連結されたシート材をブリスターケースから剥離させるようしている。
【特許文献１】特開２００６−１６８７６０号公報、段落００１７
【発明の開示】
【発明が解決しようとする課題】
【０００４】
ところで、一般的に、ブリスターケースで包装されたものを開封する場合、一方の手で容器本体を支持し、他方の手でブリスターケースに施されたフィルム状のシートを剥離することが従来から行われている。特許文献１のブリスターパックにおいても、ブリスターケースを一方の手で把持するとともに、台紙を他方の手で把持し、台紙をブリスターケースの長手方向に引っ張ることにより行われている。上記のような、ブリスターケースの包装を両手で開封することは、包装された商品が大きなものは、重量もあることからやむを得ない面がある。
【０００５】
しかし、商品の重量も軽く、パッケージ全体も小型の場合であっても、従来は、上記のように両手でブリスターケースの包装の開封を行うことが当然のこととして行われ、片手でブリスターケースの包装の開封を容易に行うことができるための構成は提案されていない。
【０００６】
コンタクトレンズは、商品重量も軽く、全体としても小型であることから、保存液とともにブリスターケースに収納されたコンタクトレンズを、シート（包装）を開封して取り出すために、開封作業を片手で行うことができれば、開封からコンタクトレンズを眼に装着するまでの一連の動作が時間もかからずスムーズに行うことが期待できる。このような技術的課題、すなわち、ブリスターケースに収納されたコンタクトレンズを取り出す際における、開封作業の簡便性を得ることができることは、極めて重要であることを本出願人が初めて見いだしたものである。
【０００７】
しかし、このようなシートを片手で剥離するコンタクトレンズ用ブリスターケースは提案されていない。
なお、特許文献１のブリスターパックでは、片手で開封操作ができるための構成が開示されておらず、ブリスターケースに収納されている商品は、化粧料容器等のコンタクトレンズよりも大型の商品であって、両手でブリスターケースと台紙とを把持して、開封することが前提となっている。すなわち、特許文献１では、本願発明の課題を解決することが困難な構成である。
【０００８】
本発明は、容器本体を把持した片方の手の指で、スライド部材をスライドすることができ、このことによりブリスターケースのシートを容器本体から剥離でき、開封からコンタクトレンズを眼に装着までの一連の動作をスムーズに行うことができるコンタクトレンズ用ブリスターケースを提供することを目的としている。
【課題を解決するための手段】
【０００９】
請求項１の発明は、コンタクトレンズ及び保存液を収納するとともに指掛け可能に形成されたレンズ収納部を有する容器本体と、前記容器本体に対して剥離可能に接着されて、前記レンズ収納部の開口部を密閉して覆うシートと、前記容器本体に対してスライド自在に配置されるとともにスライド時に前記シートに作用して同シートを前記容器本体から剥離させて同レンズ収納部を開口するスライド部材とを備え、前記スライド部材が、前記レンズ収納部に指掛けした片手の押圧操作によりスライド可能であることを特徴とするコンタクトレンズ用ブリスターケースを要旨とするものである。
【００１０】
請求項１の発明によれば、容器本体を片方の手で把持する際に、その片方の手の指、例えば、人指し指でレンズ収納部に指掛けする。そして、指掛けした片方の手の親指でスライド部材を押圧して、スライド部材をスライドすると、スライド部材が作用してシートが容器本体から剥離し、レンズ収納部が開口される。レンズ収納部が開口された後は、レンズ収納部内のコンタクトレンズを他方の手の指で把持して、眼に装用する。
【００１１】
仮に一方の手で容器本体を把持し、他方の手でスライド部材をスライドさせてシートを剥離させた後、レンズ収納部内のコンタクトレンズを取り出す場合、スライド部材をスライド操作した前記他方の手によるスライド部材の把持を解除した後、他方の手によってコンタクトレンズを把持するという動作が必要になって時間を要する。それに対して、請求項１の発明によれば、シートの剥離によりレンズ収納部が開口される迄は、一方の手で行うことができるため、レンズ収納部が開口された後は、即座に他方の手の指でコンタクトレンズを把持でき、把持したコンタクトレンズの眼への装用をスムーズに行うことができる。
【００１２】
請求項２の発明は、コンタクトレンズ及び保存液を収納するレンズ収納部と、前記レンズ収納部に隣接して配置された指掛け部を有する容器本体と、前記容器本体に対して剥離可能に接着されて、前記レンズ収納部の開口部を密閉して覆うシートと、前記容器本体に対してスライド自在に配置されるとともにスライド時に前記シートに作用して同シートを前記容器本体から剥離させて同レンズ収納部を開口するスライド部材とを備え、前記スライド部材が、前記指掛け部に指掛けした片手の押圧操作によりスライド可能であることを特徴とするコンタクトレンズ用ブリスターケースを要旨とするものである。
【００１３】
請求項２の発明によれば、容器本体を一方の片手で把持するが、このとき、その片手の指、例えば、人指し指で指掛け部に指掛けする。そして、指掛けした片手の親指でスライド部材を押圧して、スライド部材をスライドすると、スライド部材が作用してシートを容器本体から剥離させてレンズ収納部を開口する。開口された後は、レンズ収納部内のコンタクトレンズを他方の手の指で把持して、眼に装用する。
【００１４】
仮に一方の手で容器本体を把持し、他方の手でスライド部材をスライドさせてシートを剥離させた後、レンズ収納部内のコンタクトレンズを取り出す場合、スライド部材をスライド操作した前記他方の手によるスライド部材の把持を解除した後、他方の手によってコンタクトレンズを把持するという動作が必要になって時間を要する。それに対して、請求項２の発明によれば、シートの剥離によりレンズ収納部が開口される迄は、一方の手で行うことができるため、レンズ収納部が開口された後は、即座に他方の手の指でコンタクトレンズを把持でき、把持したコンタクトレンズの眼への装用をスムーズに行うことができる。
【００１５】
請求項３の発明は、請求項１又は請求項２において、前記スライド部材が、前記シート上に配置された蓋板であり、同蓋板が前記シートと連結されていることを特徴とする。
請求項３の発明によれば、片方の手で容器本体を把持した状態で、その片方の手の親指で蓋板をスライド操作することにより、蓋板に連結されたシートが容器本体から剥離される。
【００１６】
請求項４の発明は、請求項１又は請求項２において、前記スライド部材が、前記容器本体上に配置されたスクレーパであり、同スクレーパがスライド時に前記シートと前記容器本体との間に介在して前記シートを剥離することを特徴とする。
【００１７】
請求項４の発明によれば、片方の手で容器本体を把持した状態で、その片方の手の親指でスクレーパをスライド操作することにより、スクレーパによりシートが容器本体から剥離される。
【００１８】
請求項５の発明は、請求項１又は請求項２において、前記容器本体には前記スライド部材のスライドをガイドするガイド部が設けられていることを特徴とする。
請求項５に発明によれば、ガイド部によりスライド部材がガイドされて、シートの剥離が行われる。
【００１９】
請求項６の発明は、請求項１乃至請求項５のうちいずれか１項において、前記容器本体のレンズ収納部の開口に隣接する部位には、保存液のこぼれ防止用凹部が設けられていることを特徴とする。
【００２０】
請求項６の発明によれば、シートが剥離されてレンズ収納部が開口された際に、レンズ収納部内の保存液がレンズ収納部から出ることがある。この場合、レンズ収納部の開口に隣接する部位にこぼれ防止用凹部が設けられていると、シートが剥離して、レンズ収納部が開口された際に、このこぼれ防止用凹部が保存液を受け入れることにより、保存液のこぼれ防止がされる。
【発明の効果】
【００２１】
請求項１及び請求項２の発明によれば、容器本体を把持した片方の手の指で、スライド部材をスライドすることができ、このことによりブリスターケースのシートを容器本体から剥離でき、開封からコンタクトレンズを眼に装着するまでの一連の動作をスムーズに行うことができる。
【００２２】
請求項３の発明によれば、片方の手で容器本体を把持した状態で、その片方の手の親指で蓋板をスライド操作することにより、蓋板に連結されたシートが容器本体から容易に剥離できる。
【００２３】
請求項４の発明によれば、片方の手で容器本体を把持した状態で、その片方の手の親指でスクレーパをスライド操作することにより、スクレーパによりシートが容器本体から容易に剥離できる。
【００２４】
請求項５に発明によれば、ガイド部によりスライド部材がガイドされて、シートの剥離を容易に行うことができる。
請求項６の発明によれば、シートが剥離されてレンズ収納部が開口された際に、容器本体が傾く等によりレンズ収納部内の保存液がレンズ収納部から出た場合、レンズ収納部から出た保存液をレンズ収納部の開口に隣接する部位の凹部で受け止めて、保存液のこぼれを防止できる。
【発明を実施するための最良の形態】
【００２５】
（第１実施形態）
以下、本発明のコンタクトレンズ用ブリスターケース（以下、単にブリスターケースという）を具体化した第１実施形態を図１〜４を参照して説明する。
【００２６】
図１、図２に示すようにブリスターケース１０は、プラスチック製の容器本体１１と、容器本体１１に付設されたシート２０と、シート２０上に重ねて配置されたスライド部材としての蓋板３０とを備えている。
【００２７】
図１、図２に示すように容器本体１１は長方形をなす平板部１２の上面１２ａに対してその長手方向の一端部寄り（図１、図２，図４では左端部寄り）の部位にレンズ収納凹部１３が凹設されたレンズ収納部１４が突出されている。平板部１２は、図１、図２に示すようにレンズ収納凹部１３が長手方向の一端部寄りの部位に偏って設けられていることにより、レンズ収納凹部１３から他端部間は、レンズ収納凹部１３から一端部間よりも長くされている。
【００２８】
そして、レンズ収納部１４は平板部１２の下面１２ｂから下方にレンズ収納部１４が凸状の球面を有するように形成されている。下面１２ｂからのレンズ収納部１４の突出量は、平板部１２の一端部側（図１、図２、図４の左端部側）から、使用者が片手で把持する際に、図４に示すようにレンズ収納部１４の凸状の球面に例えば、人指し指Ｕ１が掛け止め可能な量（すなわち、指掛けが可能な量）としている。
【００２９】
平板部１２の短手方向の両側縁には、長手方向に延びる一対のガイド部１５が上方へ突出されている。一対のガイド部１５は互いに対向するように断面逆Ｌ字状に形成されている。なお、ガイド部１５の断面形状は、Ｃ字状に湾曲形成されていてもよい。又、平板部１２のレンズ収納部１４に近接した一端部の縁部には、前記ガイド部１５と断面形状が同形状のストッパ１６が形成されている。
【００３０】
レンズ収納部１４のレンズ収納凹部１３は、凹状の球面を有し、コンタクトレンズＣＬと保存液Ｓが収納されている。このようにして、本実施形態では、レンズ収納凹部１３は凹状の球面を有し、レンズ収納部１４は、凸状の球面を有するようにしている。レンズ収納凹部１３が凹状の球面を有することにより、図２に示すようにコンタクトレンズＣＬを収納した際に、コンタクトレンズＣＬの凸状の球面をレンズ収納凹部１３の凹状の球面に沿わせることができる。この結果、レンズ収納凹部１３からコンタクトレンズＣＬを取り出す際に、コンタクトレンズＣＬの凸状の球面をレンズ収納凹部１３の凹状の球面に沿わせて容易に取り出すことができる。
【００３１】
レンズ収納部１４の開口は、平板部１２の上面１２ａに接着されたシート２０により剥離可能に密封されている。
シート２０は、ポリプロピレン等のプラスティック製のフィルムや、薄いプラスティック膜の上下両面にアルミニウム等の薄い金属を蒸着させたフィルムからなる。なお、薄いプラスティック膜の上下両面にアルミニウム箔等の薄い金属を蒸着させたフィルムはガスバリア性に優れたものとなる。シート２０は、ストッパ１６側の一端が１８０度折曲げされて折曲部２１を有するとともに平板部１２の上面１２ａに対してヒートシール等により剥離可能に接着され、レンズ収納部１４の開口部１４ａを密封する。
【００３２】
蓋板３０は厚紙や、プラスチック等から長方形状に形成され、ストッパ１６側の一端部の下面が前記シート２０の折曲部２１に対して接着剤にて接着されることにより、前記シート２０と一体に連結されている。蓋板３０の短手方向の両側部は、それぞれガイド部１５内に位置するとともに、ガイド部１５内によりガイドされてストッパ１６側とは反対方向にスライド可能になっている。なお、ストッパ１６は、蓋板３０のストッパ１６側への移動を規制するためのものである。
【００３３】
（第１実施形態の作用）
さて、上記のように構成されたブリスターケース１０におけるシート２０の剥離の仕方について説明する。
【００３４】
図４に示すように、容器本体１１を片方の手（例えば左手）で左端部側から把持する際に、その左手の指、例えば人指し指Ｕ１でレンズ収納部１４に指掛けする。そして、この状態で左手の親指Ｕ２で蓋板３０を押圧して、蓋板３０をスライドすると、蓋板３０に連結されたシート２０が容器本体１１の平板部１２の上面１２ａから剥離され、レンズ収納部１４の開口部１４ａが開口される。レンズ収納部１４が開口された後は、レンズ収納部１４内のコンタクトレンズＣＬを右手の指で把持して、眼に装用する。
【００３５】
このように、シート２０の剥離によりレンズ収納部１４が開口される迄は、一方の手で行うことができるため、レンズ収納部１４が開口された後は、即座に他方の手の指でコンタクトレンズＣＬを把持でき、把持したコンタクトレンズの眼への装用がスムーズに行われる。
【００３６】
なお、平板部１２において、図１、図２に示すようにレンズ収納部１４が長手方向の一端部寄りの部位に偏って設けられていることから、レンズ収納部１４から他端部間は、レンズ収納部１４から一端部間よりも長くされている。この結果、一対のブリスターケース１０は、図１２に示すように一方のブリスターケース１０を１８０度反転させた状態で互いにレンズ収納部１４を隣接させた状態で重ね合わせることにより、パッケージされた製品同士を梱包する際に無駄な空間をなくすことができる。
【００３７】
さて、上記のように構成されたブリスターケース１０の作用効果について説明する。
（１）  本実施形態のブリスターケース１０は、コンタクトレンズＣＬ及び保存液Ｓを収納するとともに指掛け可能に形成されたレンズ収納部１４を有する容器本体１１を備えている。又、ブリスターケース１０は、容器本体１１に対して剥離可能に接着されて、レンズ収納部１４の開口部１４ａを密閉して覆うシート２０と、容器本体１１に対してスライド自在に配置されるとともにスライド時にシート２０に作用して同シート２０を容器本体１１から剥離させてレンズ収納部１４を開口する蓋板３０（スライド部材）を備えている。そして、蓋板３０が、レンズ収納部１４に指掛けした片手の押圧操作によりスライド可能に形成されている。
【００３８】
この結果、容器本体１１を把持した片方の手の指で、蓋板３０をスライドすることができ、このことによりブリスターケース１０のシート２０を容器本体１１から剥離でき、開封からコンタクトレンズＣＬを眼に装着するまでの一連の動作をスムーズに行うことができる。
【００３９】
（２）  本実施形態のブリスターケース１０は、蓋板３０がシート２０と連結されている。この結果、片方の手で容器本体１１を把持した状態で、その片方の手の親指Ｕ２で蓋板３０をスライド操作すれば、蓋板３０に連結されたシート２０を容器本体１１を容易に片手で剥離することができる。
【００４０】
（３）  本実施形態のブリスターケース１０は、容器本体１１には蓋板３０のスライドをガイドするガイド部１５が設けられている。この結果、ガイド部１５により蓋板３０がガイドされることにより、シート２０の剥離を容易にスムーズに行うことができる。
【００４１】
（第２実施形態）
次に第２実施形態を図５を参照して説明する。なお、第２実施形態を含めた以下の実施形態では、第１実施形態と同一構成及び相当する構成については、同一符号を付して、詳細な説明を省略し、第１実施形態と異なる構成を説明する。
【００４２】
第２実施形態では、図５に示すように、レンズ収納部１４を挟むようにして平板部１２の一方の端部（図５では左端部）とは反対側の下面１２ｂにレンズ収納部１４と隣接するように板状の指掛け部１７が設けられている。なお、指掛け部１７の形状は、板状に限定されるものではなく、ブロック状であってもよい。
【００４３】
このようにすると、第１実施形態では、レンズ収納部１４に指掛けできるようにしたが、本実施形態では、指掛け部１７がその機能を果たすことができる。
（第３実施形態）
次に第３実施形態を図６及び図７を参照して説明する。第３実施形態では、ガイド部１５、ストッパ１６及び蓋板３０が省略され、その代わりに、シート２０の一端部（図６においては、左端部）側の下面と平板部１２の上面１２ａ間にスライド部材としてのスクレーパ４０が介在配置されている。そして、スクレーパ４０は、三角柱状に形成され、平板部１２の上面１２ａ上において、長手方向（図６において、右方向）にスライド可能に載置されている。なお、スクレーパ４０の断面形状は、三角形に限定されるものではないが、くさび状であることが好ましい。又、スクレーパ４０は、シート２０を剥離する前は、図６に示すようにレンズ収納部１４の開口部１４ａ周縁部からは離間した位置に配置されている。又、スクレーパ４０は、シート２０の一端部側下面に対して、シート２０を剥離する以前の状態では、粘着力が弱い接着剤にて接着され、図６において、右方へスライドする際に、その粘着力から解除されてシート２０を平板部１２の上面１２ａから剥離できるようにされている。
【００４４】
第３実施形態では、第１実施形態と同様に容器本体１１を片方の手（例えば左手）で左端部側から把持する際に、その左手の指、例えば人指し指Ｕ１でレンズ収納部１４に指掛けする。そして、この状態で左手の親指Ｕ２でスクレーパ４０を押圧して、スクレーパ４０をスライドすると、スクレーパ４０に連結されたシート２０が容器本体１１の平板部１２の上面１２ａから剥離され、レンズ収納部１４の開口部１４ａが開口される。レンズ収納部１４が開口された後は、レンズ収納部１４内のコンタクトレンズＣＬを右手の指で把持して、眼に装用する。
【００４５】
従って、第３実施形態においては、下記の特徴がある。
（１）  本実施形態のブリスターケース１０は、コンタクトレンズＣＬ及び保存液Ｓを収納するとともに指掛け可能に形成されたレンズ収納部１４を有する容器本体１１を備えている。又、ブリスターケース１０は、容器本体１１に対して剥離可能に接着されて、レンズ収納部１４の開口部１４ａを密閉して覆うシート２０と、容器本体１１に対してスライド自在に配置されるとともにスライド時にシート２０に作用して同シート２０を容器本体１１から剥離させてレンズ収納部１４を開口するスクレーパ４０（スライド部材）を備える。そして、スクレーパ４０が、レンズ収納部１４に指掛けした片手の押圧操作によりスライド可能に形成されている。
【００４６】
この結果、容器本体１１を把持した片方の手の指で、スクレーパ４０をスライドすることができ、このことによりブリスターケース１０のシート２０を容器本体１１から剥離でき、開封からコンタクトレンズＣＬを眼に装着までの一連の動作をスムーズに行うことができる。
【００４７】
なお、本発明の実施形態は、前記各実施形態に限定されるものではなく、下記のように構成を変更してもよい。
○  第１実施形態では、蓋板３０の親指Ｕ２で押圧操作される面は単に平板としたが、蓋板３０の表面全体に、或いは少なくとも親指Ｕ２で操作される面に滑り止め部を設けても良い。滑り止め部は、例えば、操作される面に凹凸を設けたり、或いは、シボ加工をすること等により形成することができる。この滑り止め部により、親指が滑りにくくなるため、蓋板３０の押圧操作をより容易に行うことができる。
【００４８】
○  又、第１実施形態では、蓋板３０の親指Ｕ２で押圧操作される面は単に平板としたが、親指Ｕ２で操作される面に同親指Ｕ２が入る操作凹部を設けても良い。操作凹部により、親指Ｕ２が滑りにくくなるため、蓋板３０の押圧操作をより容易に行うことができる。
【００４９】
○  又、第１実施形態ではレンズ収納部１４は凸状の球面を有するようにしたが、凸状の球面に限定されるものではなく、指掛け可能な形状であればよい。例えば、図１３（ａ）に示すようにレンズ収納部１４を四角ブロック状にして、指掛けされる側面を平面にして指掛け可能に形成してもよい。又、図１３（ｂ）に示すようにレンズ収納部１４において、平板部１２に隣接する部分を角柱状（例えば、四角柱、五角柱等）に形成するとともに底部側を凸状の球面を有するように形成したり、図１３（ｃ）に示すように、指掛けされる面１４ｂを平面にして、残りの部分は、任意形状にしたりしてもよい。なお、図１３（ａ）〜（ｃ）においても、レンズ収納凹部１３は、凹状の球面を有すると、コンタクトレンズが取り出しやすくなるため好ましい。
【００５０】
○  第２実施形態では、指掛け部１７は、レンズ収納部１４とは離間して設けられているが、レンズ収納部１４の外面に対して一体に設けられていてもよい。又、指掛け部１７の下面１２ｂからの突出量をレンズ収納部１４の下面１２ｂからの突出量と同じにすれば、ブリスターケース１０を平面上のものに載置した際に、平板部１２をその平面と平行にできて傾かないため、シートを剥離した状態で載置した場合に、安定して載置することができ、レンズ収納部１４内に入れられた保存液Ｓがこぼれることがない。
【００５１】
○  第３実施形態においても、第２実施形態と同様に指掛け部１７を設けてもよいことは勿論のことである。
○  又、第３実施形態において、図８に示すように平板部１２の短手方向の両側部の上面１２ａに長手方向に沿ってガイド部としてのガイド溝１２ｃを設けてもよい。この場合、スクレーパ４０の長手方向の両端下面にガイド溝１２ｃに係入してガイドされる図示しない突部を設けるものとする。このように構成されると、スクレーパ４０は、このガイド溝１２ｃにガイドされて容易にスライドすることができる。
【００５２】
○  又、図８のガイド溝１２ｃの構成に加えて、図９に示すように第１実施形態と同様の断面逆Ｌ字状のガイド部１５を形成して、スクレーパ４０をガイド部１５においてもガイドするようにしてもよい。なお、図９は、シート２０が一部剥離されている状態を示している。
【００５３】
○  又、第１実施形態の構成にさらに、平板部１２に対して図１０、図１１に示すように、こぼれ防止用凹部１２ｄをストッパ１６とレンズ収納凹部１３との間に形成してもよい。このように構成されていると、シート２０が剥離されてレンズ収納部１４が開口された際に、レンズ収納部１４内の保存液Ｓがレンズ収納部１４から出ることがある。この場合、レンズ収納部１４の開口に隣接する部位にこぼれ防止用凹部１２ｄが設けられているため、一部の保存液が出た際にこのこぼれ防止用凹部１２ｄが保存液Ｓを受け入れることにより、保存液Ｓのこぼれ防止ができる。
【図面の簡単な説明】
【００５４】
【図１】本発明を具体化した第１実施形態のコンタクトレンズ用ブリスターケースの斜視図。
【図２】同じくコンタクトレンズ用ブリスターケースの断面図。
【図３】同じくコンタクトレンズ用ブリスターケースの側面図
【図４】同じく開封状態のコンタクトレンズ用ブリスターケースの断面図。
【図５】第２実施形態を変形した例のコンタクトレンズ用ブリスターケースの断面図。
【図６】第３実施形態のコンタクトレンズ用ブリスターケースの断面図。
【図７】第３実施形態のコンタクトレンズ用ブリスターケースの斜視図。
【図８】第３実施形態の開封状態のコンタクトレンズ用ブリスターケースの斜視図。
【図９】同じく第３実施形態のコンタクトレンズ用ブリスターケースの側面図。
【図１０】他の実施形態のシート、蓋体を省略したコンタクトレンズ用ブリスターケースの斜視図。
【図１１】他の実施形態のシート、蓋体を省略したコンタクトレンズ用ブリスターケースの断面図。
【図１２】実施形態におけるコンタクトレンズ用ブリスターケースの流通時の配置を示す説明図。
【図１３】（ａ）〜（ｃ）は、他の実施形態の容器本体の形状の概略図。
【符号の説明】
【００５５】
１０…ブリスターケース、１１…容器本体、１２…平板部、
１２ａ…上面、１２ｂ…下面、１２ｃ…ガイド溝（ガイド部）、
１２ｄ…こぼれ防止用凹部、
１３…レンズ収納凹部、
１４…レンズ収納部、１４ａ…開口部、１５…ガイド部、
１６…ストッパ、１７…指掛け部、２０…シート、
２１…折曲部、３０…蓋板（スライド部材）、
４０…スクレーパ、
ＣＬ…コンタクトレンズ、Ｓ…保存液、
Ｕ１…人指し指、親指Ｕ２…親指。
【図１】
2009062080.tif 000003
【図２】
2009062080.tif 000004
【図３】
2009062080.tif 000005
【図４】
2009062080.tif 000006
【図５】
2009062080.tif 000007
【図６】
2009062080.tif 000008
【図７】
2009062080.tif 000009
【図８】
2009062080.tif 000010
【図９】
2009062080.tif 000011
【図１０】
2009062080.tif 000012
【図１１】
2009062080.tif 000013
【図１２】
2009062080.tif 000014
【図１３】
2009062080.tif 000015